【手続補正書】
【提出日】平成26年5月27日(2014.5.27)
【手続補正１】
【補正対象書類名】特許請求の範囲
【補正対象項目名】全文
【補正方法】変更
【補正の内容】
【特許請求の範囲】
【請求項１】
皮下への挿入装置において、
少なくとも１つのカートリッジユニットを受けるように構成されたハウジングであって、前記少なくとも１つのカートリッジユニットは少なくとも１つの皮下への挿入可能要素および少なくとも１つの貫通部材を中に収容する保護部材を備え、
前記少なくとも１つのカートリッジユニットが通って前記ハウジング内に少なくとも装填されるように適合された第１のハウジング開口、および、
前記少なくとも１つの挿入可能要素および前記少なくとも１つの貫通部材が通って突き出るように適合された第２のハウジング開口を含む、ハウジングと、
前記ハウジング内に収容された変位機構であって、前記少なくとも１つの挿入可能要素および前記少なくとも１つの貫通部材を、前記第２のハウジング開口を通して、前記少なくとも１つの挿入可能要素を皮下挿入するために患者の身体に向けて、少なくとも突き出るように構成された、変位機構と、を備え、
前記変位機構は、
ラチェットフライホイールと、
前記ラチェットフライホイールに結合されたラチェットクランクと、
前記ラチェットフライホイール内に少なくとも一部が埋め込まれ、前記ラチェットクランクに荷重付与可能なフライホイールトーションばねと、
少なくとも１つの係止フックを備え、前記ラチェットクランクによって変位可能な挿入レバーとを備え、
前記ラチェットクランクは、前記フライホイールトーションばねによって回転することにより前記挿入レバーおよび前記少なくとも１つの係止フックを変位させ、その結果、前記少なくとも１つの挿入可能要素および前記少なくとも１つの貫通部材が前記患者の前記身体の方へ突き出て、その後、前記貫通部材が引っ込められ、前記患者の前記身体内に前記挿入可能要素が保持される、皮下への挿入装置。
【請求項２】
請求項１に記載の挿入装置において、
前記変位機構は、前記少なくとも１つの挿入可能要素および前記少なくとも１つの貫通部材を、前記患者の前記皮膚に対してさまざまな角度で、前記患者の前記身体の方へ突き出るように構成された、挿入装置。
【請求項３】
請求項１に記載の挿入装置において、
前記カートリッジユニットが装填されたときに前記変位機構を作動させるための、使用者用作動ボタンをさらに備えた、挿入装置。
【請求項４】
請求項１に記載の挿入装置において、
前記変位機構の不用意な作動を防止するための安全手段をさらに備えた、挿入装置。
【請求項５】
請求項１に記載の挿入装置において、
前記変位機構は、
拘束アームを有する解放ボタンと、
前記フライホイールトーションばねに荷重を加えるために前記ラチェットフライホイールに結合することができる手動で回転可能な荷重付与ボタンとを備え、
前記荷重付与ボタンを前記ラチェットフライホイールに結合し、前記荷重付与ボタンをその後回転させると、前記フライホイールトーションばねに荷重が加えられ、
前記解放ボタンが作動すると、前記解放ボタンの拘束アームが前記ラチェットクランクから外れて、前記ラチェットクランクは前記荷重が加えられたフライホイールトーションばねの力が加えられることにより回転することができる、挿入装置。
【請求項６】
請求項１に記載の挿入装置において、
前記少なくとも１つのカートリッジユニットの少なくとも一部を通して前記ハウジングから取り外せるように、前記第１および第２のハウジング開口の少なくとも１つはさらに構成された、挿入装置。
【請求項７】
請求項１に記載の挿入装置において、
前記保護部材をその中に収容された少なくとも前記貫通部材とともに通して前記ハウジングから取り外せるように、前記第１のハウジング開口はさらに構成された、挿入装置。
【請求項８】
請求項１に記載の挿入装置において、
１つ以上の追加のカートリッジユニットを後に装填することにより、繰り返し使用されるように構成された、挿入装置。
【請求項９】
請求項１に記載の挿入装置において、
前記ハウジングは、前記少なくとも１つのカートリッジユニットを前記ハウジングに装填したときに、前記少なくとも１つのカートリッジユニットを前記ハウジングに固定するように構成された固定機構をさらに含む、挿入装置。
【請求項１０】
請求項１に記載の挿入装置において、
前記第１のハウジング開口は、横の開口である、挿入装置。
【請求項１１】
請求項１に記載の挿入装置において、
前記第２のハウジング開口は、底の開口である、挿入装置。
【請求項１２】
請求項１に記載の挿入装置において、
前記第２のハウジング開口は、前記第１のハウジング開口と分離している、挿入装置。
【請求項１３】
請求項１に記載の挿入装置において、
医療デバイスの皮膚に固定可能なクレードルと結合されるように構成された、挿入装置。
【請求項１４】
請求項１３に記載の挿入装置において、
前記ハウジングは、前記挿入装置を前記クレードルに結合させるために、前記クレードルの１つまたは複数の対応する突起部と係合するように構成された１つまたは複数の凹部をさらに備えた、挿入装置。
【請求項１５】
請求項１３に記載の挿入装置において、
前記挿入装置を前記クレードルユニットから解放するための機構をさらに備えた、挿入装置。
【手続補正２】
【補正対象書類名】明細書
【補正対象項目名】発明の名称
【補正方法】変更
【補正の内容】
【発明の名称】挿入装置
【手続補正３】
【補正対象書類名】明細書
【補正対象項目名】００９２
【補正方法】変更
【補正の内容】
【００９２】
本明細書で参照されている前記特許、出願、および刊行物はすべて、全体が参照により本明細書に組み込まれている。
（項目１）
皮下への挿入装置において、
少なくとも１つのカートリッジユニットを受けるように構成されたハウジングであって、前記少なくとも１つのカートリッジユニットは少なくとも１つの皮下への挿入可能要素および少なくとも１つの貫通部材を中に収容する保護部材を備え、
前記少なくとも１つのカートリッジユニットが通って前記ハウジング内に少なくとも装填されるように適合された第１のハウジング開口、および、
前記少なくとも１つの挿入可能要素および前記少なくとも１つの貫通部材が通って突き出るように適合された第２のハウジング開口を含む、ハウジングと、
前記ハウジング内に収容された変位機構であって、前記少なくとも１つの挿入可能要素および前記少なくとも１つの貫通部材を、前記第２のハウジング開口を通して、前記少なくとも１つの挿入可能要素を皮下挿入するために患者の身体に向けて、少なくとも突き出るように構成された、変位機構と、を備えた、皮下への挿入装置。
（項目２）
項目１に記載の挿入装置において、
前記変位機構は、前記挿入可能要素を皮下へ挿入した後に前記貫通部材を前記保護部材内に引っ込めるようにさらに構成された、挿入装置。
（項目３）
項目１に記載の挿入装置において、
前記変位機構は、前記少なくとも１つの挿入可能要素および前記少なくとも１つの貫通部材を前記患者の前記身体の方へ手動で移動させるための棒を備えた、挿入装置。
（項目４）
項目１に記載の挿入装置において、
前記変位機構は、荷重付与可能なばねを含み、前記ばねに付与された荷重を除去すると前記少なくとも１つの挿入可能要素および前記少なくとも１つの貫通部材を前記患者の前記身体の方へ突き出る、挿入装置。
（項目５）
項目４に記載の挿入装置において、
前記ばねの前記荷重の除去は、前記挿入可能要素を皮下へ挿入した後に、前記貫通部材を前記保護部材内にさらに引っ込めさせる、挿入装置。
（項目６）
項目１に記載の挿入装置において、
前記変位機構は、前記少なくとも１つの挿入可能要素および前記少なくとも１つの貫通部材を、前記患者の前記皮膚に対してさまざまな角度で、前記患者の前記身体の方へ突き出るように構成された、挿入装置。
（項目７）
項目１に記載の挿入装置において、
前記カートリッジユニットが装填されたときに前記変位機構を作動させるための、使用者用作動ボタンをさらに備えた、挿入装置。
（項目８）
項目１に記載の挿入装置において、
前記変位機構の不用意な作動を防止するための安全手段をさらに備えた、挿入装置。
（項目９）
項目１に記載の挿入装置において、
前記変位機構は、前記カートリッジユニットが前記ハウジング内に装填されたときに、前記カートリッジユニットの少なくとも一部と係合するように構成された１つ以上のフックを備えた、挿入装置。
（項目１０）
項目１に記載の挿入装置において、
前記変位機構は、
拘束アームを有する解放ボタンと、
ラチェットフライホイールと、
前記ラチェットフライホイール内に少なくとも一部が埋め込まれた荷重付与可能なフライホイールトーションばねと、
前記フライホイールトーションばねに荷重を加えるために前記ラチェットフライホイールに結合することができる手動で回転可能な荷重付与ボタンと、
前記ラチェットフライホイールに結合され、前記フライホイールトーションばねによって回転可能なラチェットクランクと、
少なくとも１つの係止フックを備え、前記ラチェットクランクによって変位可能な挿入レバーとを備え、
前記荷重付与ボタンを前記ラチェットフライホイールに結合し、前記荷重付与ボタンをその後回転させると、前記フライホイールトーションばねに荷重が加えられ、
前記解放ボタンが作動すると、前記解放ボタンの拘束アームが前記ラチェットクランクから外れて、前記ラチェットクランクは前記荷重が加えられたフライホイールトーションばねの力が加えられることにより回転することができ、
前記ラチェットクランクは、前記挿入レバーおよび前記少なくとも１つの係止フックを変位させ、その結果、前記少なくとも１つの挿入可能要素および前記少なくとも１つの貫通部材が前記患者の前記身体の方へ突き出て、その後、前記貫通部材が引っ込められ、これにより、前記患者の前記身体内に前記挿入可能要素が保持される、挿入装置。
（項目１１）
項目１に記載の挿入装置において、
前記第１および第２のハウジング開口の少なくとも１つは、前記少なくとも１つのカートリッジユニットの少なくとも一部を通して前記ハウジングから取り外すようにさらに構成された、挿入装置。
（項目１２）
項目１に記載の挿入装置において、
前記第１のハウジング開口は、前記保護部材をその中に収容された少なくとも前記貫通部材とともに通して前記ハウジングから取り外すようにさらに構成された、挿入装置。
（項目１３）
項目１に記載の挿入装置において、
１つ以上の追加のカートリッジユニットを後に装填することにより、繰り返し使用されるように構成された、挿入装置。
（項目１４）
項目１に記載の挿入装置において、
前記ハウジングは、前記少なくとも１つのカートリッジユニットを前記ハウジングに装填したときに、前記少なくとも１つのカートリッジユニットを前記ハウジングに固定するように構成された固定機構をさらに含む、挿入装置。
（項目１５）
項目１に記載の挿入装置において、
前記第１のハウジング開口は、横の開口である、挿入装置。
（項目１６）
項目１に記載の挿入装置において、
前記第２のハウジング開口は、底の開口である、挿入装置。
（項目１７）
項目１に記載の挿入装置において、
前記第２のハウジング開口は、前記第１のハウジング開口と分離している、挿入装置。
（項目１８）
項目１に記載の挿入装置において、
医療デバイスの皮膚に固定可能なクレードルと結合されるように構成された、挿入装置。
（項目１９）
項目１８に記載の挿入装置において、
前記ハウジングは、前記挿入装置を前記クレードルに結合させるために、前記クレードルの１つまたは複数の対応する突起部と係合するように構成された１つまたは複数の凹部をさらに備えた、挿入装置。
（項目２０）
項目１８に記載の挿入装置において、
前記挿入装置を前記クレードルユニットから解放するための機構をさらに備えた、挿入装置。
（項目２１）
皮下への挿入装置において、
少なくとも１つのカートリッジユニットを受けるように構成されたハウジングであって、前記少なくとも１つのカートリッジユニットは少なくとも１つの皮下への挿入可能要素および少なくとも１つの貫通部材を中に収容する保護部材を備え、
前記少なくとも１つのカートリッジユニットが通って前記ハウジング内に少なくとも装填されるように適合された横のハウジング開口、および、
前記少なくとも１つの挿入可能要素および前記少なくとも１つの貫通部材が通って突き出るように適合された底のハウジング開口を含む、ハウジングと、
前記ハウジング内に収容された変位機構であって、前記少なくとも１つの挿入可能要素および前記少なくとも１つの貫通部材を、前記底のハウジング開口を通して、前記少なくとも１つの挿入可能要素を皮下挿入するために患者の身体に向けて、少なくとも突き出るように構成された、変位機構と、を備えた、皮下への挿入装置。